(57)【要約】【課題】分岐ケーブルどうしが絡まりにくい通信管分岐継手を提供する。【解決手段】ケーブルを収容する通信管に接合されるサドル部２と、このケーブルから分岐された分岐ケーブルを収容する分岐部３，４と、が一体に設けられる通信管分岐継手１である。  そして、分岐部３，４は、通信管に接合された状態で略水平方向に向くように設けられるとともに、通信管の両側に配置されて通信管の軸方向に互いにずらして設けられる。【選択図】図１
2010065746.tif 000002
【特許請求の範囲】
【請求項１】
ケーブルを収容する通信管に接合されるサドル部と、前記ケーブルから分岐された分岐ケーブルを収容する分岐部と、が一体に設けられる通信管分岐継手であって、
前記分岐部は、前記通信管に接合された状態で略水平方向に向くように設けられるとともに、前記通信管の両側に配置されて前記通信管の軸方向に互いにずらして設けられることを特徴とする通信管分岐継手。
【請求項２】
前記分岐部には、前記通信管に対して鈍角に接続される側の内面に、前記通信管に接合された状態で前記通信管の内面に滑らかに接続する膨出部が設けられることを特徴とする請求項１に記載の通信管分岐継手。
【請求項３】
前記サドル部には、前記通信管の両側に配置された前記分岐部の間に、前記通信管の軸方向に連続してノッチ溝が設けられることを特徴とする請求項１又は請求項２に記載の通信管分岐継手。
【請求項４】
請求項１乃至請求項３のいずれか一項に記載の通信管分岐継手の分岐部に対応して開口部が設けられ、前記開口部に前記分岐部を合わせるように前記通信管分岐継手が取り付けられることを特徴とする通信管。
【請求項５】
前記開口部は、両側に配置された前記分岐部のそれぞれに対応して、前記通信管の軸方向に互いにずらして別々に設けられることを特徴とする請求項４に記載の通信管。
【発明の詳細な説明】
【技術分野】
【０００１】
本発明は、通信管に収容されたケーブルを分岐させる通信管分岐継手及び通信管に関するものである。
【背景技術】
【０００２】
従来、景観に配慮して通信用のケーブルを地下に埋設する場合に、通信用のケーブルを収容して地下水等から保護する通信管が知られている。
【０００３】
そして、この通信用のケーブルを通信管から建物内に引き込む際には、ケーブルを通信管から分岐させる通信管分岐継手を用いることが一般的である。
【０００４】
このような通信管分岐継手として、例えば、特許文献１には、サドル部と分岐部とを備え、サドル部は通信管に設けた貫通孔の周縁に沿って陥没されて分岐部に連続している分岐継手が開示されている。このような構成によれば、貫通孔に対して分岐部を正確に位置決めすることができる。
【０００５】
また、特許文献２には、分岐部が略水平に設けられることで、分岐部が通信管の頂点よりも高くなることがなく、通信管の埋設深さを浅くできる分岐継手が開示されている。
【０００６】
ところで、上記した通信管では、ケーブルを通信管から建物に引き込むときに、通線具を通信管分岐継手から通信管を通してケーブル接続マスに送り、建物に引き込むべき分岐ケーブルを通線具の先端に取り付けた後に、通線具を引き戻す。
【０００７】
そうすると、通線具によって分岐ケーブルが牽引され、ケーブル接続マスから通信管及び通信管分岐継手を通じて、分岐ケーブルを建物内に引き込むことができる。
【０００８】
この通信管を、住宅街に設けられた道路のように、両側に建物が建てられた路面下に埋設する場合、通信管の両側に分岐ケーブルを引き出す必要がある。
【０００９】
そこで、サドル部に一対の分岐部が設けられた通信管分岐継手を通信管本体に取り付けることが提案されている。
【００１０】
この通信管分岐継手では、一対の分岐部のうち一方の分岐部は、サドル部から道路の一方側に向かって伸び、他方の分岐部は、サドル部から道路の他方側に向かって伸びるように形成されている。
【００１１】
したがって、通信管内の分岐ケーブルを通信管内からそれぞれの分岐部内に通すことにより、通信管の両側の建物に分岐ケーブルを引き込むことができる。
【特許文献１】特許第２５３０９４１号公報
【特許文献２】特開２００１−１５９４９４号公報
【発明の開示】
【発明が解決しようとする課題】
【００１２】
しかしながら、前記した通信管分岐継手は通信管の上半部に設けられているため、分岐ケーブルが通信管から各分岐部に引き込まれた状態では、分岐ケーブルは部分的に各分岐部から通信管内に垂れ下がることになる。
【００１３】
このため、一方の分岐部を通って分岐ケーブルが建物に引き込まれている状態で、他方の分岐部から通信管内に通線具を挿入しようとすると、一方の分岐部から垂れ下がった分岐ケーブルの下方に通線具が潜り込んでしまうおそれがある。
【００１４】
そして、このように通線具が分岐ケーブルの垂れ下がった部分の下方に潜り込むと、ケーブル接続マスに向けての通線具の移動が妨げられて、新たに分岐ケーブルを引き込むための通線作業が困難になるという問題があった。
【００１５】
そこで、本発明は、分岐ケーブルどうしが絡まりにくい通信管分岐継手と、この通信管分岐継手が取り付けられる通信管と、を提供することを目的としている。
【課題を解決するための手段】
【００１６】
前記目的を達成するために、本発明の通信管分岐継手は、ケーブルを収容する通信管に接合されるサドル部と、前記ケーブルから分岐された分岐ケーブルを収容する分岐部と、が一体に設けられる通信管分岐継手であって、前記分岐部は、前記通信管に接合された状態で略水平方向に向くように設けられるとともに、前記通信管の両側に配置されて前記通信管の軸方向に互いにずらして設けられることを特徴とする。
【００１７】
また、前記分岐部には、前記通信管に対して鈍角に接続される側の内面に、前記通信管に接合された状態で前記通信管の内面に滑らかに接続する膨出部が設けられることが好ましい。
【００１８】
さらに、前記サドル部には、前記通信管の両側に配置された前記分岐部の間に、前記通信管の軸方向に連続してノッチ溝が設けられることが好ましい。
【００１９】
そして、本発明の通信管は、上記したいずれかの通信管分岐継手の分岐部に対応して開口部が設けられ、前記開口部に前記分岐部を合わせるように前記通信管分岐継手が取り付けられることを特徴とする。
【００２０】
また、前記開口部は、両側に配置された前記分岐部のそれぞれに対応して、前記通信管の軸方向に互いにずらして別々に設けられることが好ましい。
【発明の効果】
【００２１】
このように、本発明の通信管分岐継手は、サドル部と分岐部とが一体に設けられる通信管分岐継手であって、分岐部は、通信管に接合された状態で略水平方向に向くように設けられるとともに、通信管の両側に配置されて通信管の軸方向に互いにずらして別々に設けられる。
【００２２】
したがって、それぞれの分岐部に挿通された分岐ケーブルが屈曲される位置もずれるため、通信管内において分岐ケーブルどうしが絡まりにくくなる。
【００２３】
また、分岐部の内面には通信管の内面に滑らかに接続する膨出部が設けられることで、通線具が引っ掛かることや、ケーブルが損傷することを防止できる。
【００２４】
さらに、サドル部には両側の分岐部の間に、通信管の軸方向に連続してノッチ溝が設けられることで、片側のみに分岐させる場合に施工現場において簡単に切断できるようになる。
【００２５】
そして、本発明の通信管は、上記したいずれかの通信管分岐継手の分岐部に対応して開口部が設けられ、開口部に分岐部を合わせるように通信管分岐継手が取り付けられることで、分岐ケーブルどうしが絡まりにくく、通線作業性の良好な通信管となる。
【００２６】
また、開口部は、両側に配置された分岐部のそれぞれに対応して、通信管の軸方向に互いにずらして別々に設けられることで、ケーブルを収容する通信管として必要な強度を維持することができる。
【発明を実施するための最良の形態】
【００２７】
以下、本発明の最良の実施の形態について図面を参照して説明する。
【００２８】
まず、図２を用いて本発明の通信管分岐継手１を備える通信システムＳの全体構成を説明する。
【００２９】
本実施の形態の通信システムＳは、図２に示すように、地上の作業者が手を入れて作業できる箱状のハンドホール８１，８２と、一方のハンドホール８１から他方のハンドホール８２まで接続されて通信用のケーブル（不図示）を収容する複数の通信管５，・・・と、この通信管５，・・・に収容されたケーブルを分岐させて建物７１内に引き込むために取り付けられる通信管分岐継手１と、を備えている。
【００３０】
この通信管５は、塩化ビニル等の樹脂によって円筒状に形成されるもので、円筒状の本体部５０と、この本体部５０よりひと回り大きい短円筒状の受口部５１と、を一体に備えており、図３に示すように、上部には後述する一対の開口部５３，５４が設けられている（図７参照）。
【００３１】
そして、図３に示すように、この通信管５の内側には、直径方向に対峙する位置に一対の凸条５２，５２が管軸方向に連続して設けられており、この凸条５２，５２には通信管５の断面を上下に区分するセパレータ６３が嵌合されている。
【００３２】
このセパレータ６３は、通信管５の内部空間を上下に区分するためのもので、ゆるやかなＶ字に屈曲した中央板６３ａ、中央板６３ａの両端近傍を折り曲げるようにして形成された脚部６３ｂ，６３ｂ、などを備えている。
【００３３】
そして、それぞれの脚部６３ｂ，６３ｂの付根近傍には、Ｓ字状に折り曲げられることで凹溝６３ｃ，６３ｃが形成されており、この凹溝６３ｃ，６３ｃを通信管５の凸条５２，５２に嵌合させることで、中央板６３ａに載置される荷重を支持している。
【００３４】
また、セパレータ６３によって区分された下部空間には、複数のさや管６４，・・・が配置され、このさや管６４，・・・のそれぞれには大径の通信用のケーブル６１が挿通されている。
【００３５】
さらに、セパレータ６３によって区分された上部空間には、ハンドホール８１（８２）内で大径のケーブル６１を分岐して形成された小径の分岐ケーブル６２，・・・が、セパレータ６３の中央板６３ａに載置されるように収容されている。
【００３６】
そして、本実施の形態の通信管分岐継手１は、図１に示すように、円筒状の通信管５の外面に接着剤によって接合されるサドル部２と、ケーブル６１が小分けされた分岐ケーブル６２が挿通される一対の分岐部３，４と、を一体に備えている。
【００３７】
このサドル部２は、樹脂などによって通信管５の外面に沿う半円弧状板として形成されるもので、それぞれの分岐部３，４が通信管５（図３参照）に対して充分な接着強度を有するように、一方の分岐部３の上流側（図１の左側）と他方の分岐部４の下流側（図１の右側）の両方に所定の接着長さを有している。
【００３８】
また、一対の分岐部３，４は、それぞれ樹脂によって形成されるもので、サドル部２から枝分かれした円筒部３０，４０と、円筒部３０，４０の付け根を補強する三角形の補強部３２，４２と、を備えており、サドル部２の両側に設けられている。
【００３９】
さらに、分岐部３，４は、図６に示す管軸直交断面内では、サドル部２の円弧の頂点における接線から突出しないように、接線と平行な方向に向けて略水平に設けられている。
【００４０】
したがって、サドル部２が通信管５に接合された状態では、一対の分岐部３，４は、通信管５よりも上方にはサドル部２の板厚分程度しか突出しないこととなる。
【００４１】
なお、この分岐部３，４は、略水平方向に向けて設けられるが、厳密に水平方向に限定されるものではなく、末端がやや上方に向くように全体がやや傾斜されるものであってもよいし、末端のみがやや上方に向けられるように屈曲されるものであってもよい。
【００４２】
そして、本実施の形態の分岐部３，４は、図４，５に示すように、管軸方向について、サドル部２に対する取り付け位置が互いにずらされている。
【００４３】
したがって、サドル部２に設けられる分岐部３，４への挿通口２３，２４も、通信管５の管軸方向に位置をずらして設けられることとなるため、引き込まれた分岐ケーブル６２，６２（図３参照）が通信管５の中央付近で互いに緩衝しないようにされている。
【００４４】
また、分岐部３，４には、図３，５，６に示すように、通信管５に対して鈍角に接続される上流側の内面に、通信管５に接合された状態で通信管５の内面と略同一円周面を形成する膨出部３１，４１が設けられている。
【００４５】
この膨出部３１，４１は、分岐部３，４の円筒部３０，４０の付け根近傍の上流側の部材厚さを付け根に向かって徐々に厚くして形成されるもので、管軸直交方向断面で切断すると略台形状となっている。
【００４６】
さらに、この膨出部３１，４１の側面は傾斜しており、付け根よりも頂面付近で幅が狭くなっているため、通信管５の開口部５３，５４（図７参照）に嵌合しやすくなっている。
【００４７】
そして、本実施の形態の通信管５には、それぞれの分岐部３，４に対応した位置に開口部５３，５４が設けられている。
【００４８】
すなわち、開口部５３，５４は、サドル部２において互いに管軸方向にずらして設けられた挿通口２３，２４に対応するように、管軸方向に互いにずらして設けられている。
【００４９】
したがって、通信管分岐継手１がこの通信管５に取り付けられた状態では、開口部５３，５４、挿通口２３，２４、分岐部３，４、分岐通信管（フレキ管）５ａ（図２参照）、の順に分岐ケーブル６２を連通する分岐経路が形成されることになる。
【００５０】
次に、本実施の形態の通信管分岐継手１の作用について説明する。
【００５１】
このように、本実施の形態の通信管分岐継手１は、サドル部２と分岐部３，４とが一体に設けられる通信管分岐継手１である。
【００５２】
そして、分岐部３，４は、通信管５に接合された状態で略水平方向に向くように設けられるとともに、通信管５の両側に配置されて通信管５の軸方向に互いにずらして別々に設けられる。
【００５３】
したがって、それぞれの分岐部３，４に挿通された分岐ケーブル６２，６２が屈曲される位置がずれるため、通信管５内において分岐ケーブル６２，６２どうしが絡まりにくくなる。
【００５４】
つまり、従来、住宅街などでは、分岐ケーブル６２，６２を一本の通信管５から両側に引き込む場合があるが、分岐部の位置が揃っていると、分岐ケーブル６２，６２が屈曲される位置もほぼ同じ位置になってしまって互いに絡まってしまうことがあった。
【００５５】
そこで、分岐ケーブル６２，６２が屈曲される位置を管軸方向にずらしてやることで、互いに絡まることを抑制できるようになる。
【００５６】
また、従来、図３に示すように、一方の分岐部４に分岐ケーブル６２が挿通されている状態で、他方の分岐部３を通じて分岐ケーブル６２を引き込もうとした場合、分岐部３，４の位置が揃っていると、通線具が一方の分岐ケーブル６２の下に潜り込んでしまってハンドホールまで到達しない可能性があった。
【００５７】
そこで、先行して配設される分岐ケーブル６２の引き込み位置をずらすことで、通線具が潜り込みにくくなるうえに、潜り込みが生じた場合でもゆるやかに屈曲させることで通線具をハンドホールまで到達させることができるようになる。
【００５８】
そして、分岐部３，４の位置をずらしつつも、これらを一体に備えていることで、通信システムＳの曲線部などにおいて通信管５の本体部５０の長さが短く制限されるような場合にも、左右両方向に分岐した通信管分岐継手１を取り付けることができる。
【００５９】
さらに、分岐部３，４は両方向に分岐しているため、片側のみに分岐させた場合と比べて、サドル部２を共通して用いることで、互いに他方を補強するようになって接着強度が大きくなる。
【００６０】
加えて、通信管分岐継手１の分岐部３，４は、通信管５に接合された状態で略水平に向くように設けられることで、通信管５よりも上方に突出しないため、通信管５の埋設深さを浅くできる。
【００６１】
また、分岐部３，４の内面には通信管５の内面の円周面に滑らかに接続する台形断面の膨出部３１，４１が設けられることで、施工において通線する際に通線具が引っ掛かることや、分岐ケーブル６２，６２が損傷することを防止できる。
【００６２】
加えて、この膨出部３１，４１は、建物７１側から通信管５側に向かって徐々に部材厚さを増すように形成されることで、通線具を建物７１側から分岐部３，４に挿入する際に、この通線具が急激に曲げられることがなくなるため挿入が容易になる。
【００６３】
さらに、このように膨出部３１，４１が設けられることで、施工の際には通信管分岐継手１の膨出部３１，４１を通信管５の開口部５３，５４に嵌め合わせることで容易に位置決めできる。
【００６４】
また、通信管分岐継手１には上方及び側方から土圧が作用するが、膨出部３１，４１が開口部５３，５４に嵌合されて掛止されているため、通信管５に荷重を伝達できる。
【００６５】
そして、本実施の形態の通信管５は、上記したいずれかの通信管分岐継手１の分岐部３，４に対応して開口部５３，５４が設けられ、開口部５３，５４に分岐部３，４を合わせるように通信管分岐継手１が取り付けられることで、分岐ケーブル６２，６２どうしが絡まりにくく、通線作業性の良好な通信管５となる。
【００６６】
また、開口部５３，５４は、両側に配置された分岐部３，４のそれぞれに対応して、通信管５の軸方向に互いにずらして別々に設けられることで、ケーブル６１及び分岐ケーブル６２を収容する通信管５として必要な強度を維持することができる。
【００６７】
すなわち、これらの開口部５３，５４の間には通信管５の本体部５０が残っているため、この残っている本体部５０に通信管分岐継手１のサドル部２を接着することで接着強度が大きくなるうえに、この部分の部材厚さは通常よりも厚くなるため、曲げなどに対する断面性能が補強される。
【００６８】
そして、このように必要な強度を維持できれば、土被りが小さく地表の荷重が直接的に作用するような場合でも、通信システムＳの分岐箇所が損傷することを防止できる。
【実施例】
【００６９】
以下、図８を用いて、前記実施の形態とは別の形態の通信管分岐継手１Ａについて説明する。
【００７０】
なお、前記実施の形態で説明した内容と同一乃至均等な部分の説明については同一符号を付して説明する。
【００７１】
まず、構成について説明すると、本実施例の通信管分岐継手１Ａは、図８に示すように、サドル部２と、一対の分岐部３，４と、を一体に備えている。
【００７２】
このサドル部２は、樹脂などによって半円弧状板として形成されるもので、それぞれの分岐部３，４が通信管５（図３参照）に対して充分な接着強度を有するように、一方の分岐部３の上流側と他方の分岐部４の下流側の両方に所定の接着長さを有している。
【００７３】
そして、本実施例のサドル部２には、両側に設けた分岐部３，４の間であって、円弧の頂点近傍の内面側に、通信管５の管軸方向に連続してＶ字状のノッチ溝２１が設けられている。
【００７４】
なお、このノッチ溝２１を設ける位置は、必ずしも頂点近傍の内面側でなくてもよく、分割した状態で通信管５に対する必要な接着強度が得られればどの位置でもよいし、１つのサドル部２に複数設けられるものであってもよい。
【００７５】
例えば、一方の分岐部３のみを用いることが確定しているような場合に、この一方の分岐部３側の接着強度を大きくするために、他方の分岐部４の付け根近傍にもノッチ溝（不図示）を設けておいて切断するような構成とすることもできる。
【００７６】
次に、作用について説明する。
【００７７】
このように、本実施例のサドル部２には両側の分岐部３，４の間に、通信管５の軸方向に連続してノッチ溝２１が設けられることで、片側のみに分岐させる場合に、施工現場において簡単に切断して二分できるようになる。
【００７８】
つまり、あらかじめ正確な位置に切断用のノッチ溝２１を設けておくことで、施工現場において切断位置を決める必要がなくなり、位置決め（墨出し）に要する時間が不要になる。
【００７９】
加えて、このノッチ溝２１の部分では、サドル部２の部材厚さが薄くなっており、この薄い部分を切断することとなるため、切断作業そのものが容易になる。
【００８０】
そして、このように施工現場において簡単に切断できるようになれば、施工現場における他の埋設物の状況などに応じて、臨機応変に通信管分岐継手１を二方向分岐又は一方向分岐として用いることができる。
【００８１】
なお、この他の構成および作用効果については、前記実施の形態と略同様であるため説明を省略する。
【００８２】
以上、図面を参照して、本発明の最良の実施の形態及び実施例を詳述してきたが、具体的な構成は、この実施の形態又は実施例に限らず、本発明の要旨を逸脱しない程度の設計的変更は、本発明に含まれる。
【００８３】
例えば、前記実施の形態及び実施例では、開口部５３，５４が分岐部３，４のそれぞれに対応して設けられる場合について説明したが、これに限定されるものではなく、開口部を補強したうえで、サドル部２の挿通口２３，２４の両方を包括するような単一の開口部を設けてもよい。
【図面の簡単な説明】
【００８４】
【図１】本発明の最良の実施の形態の通信管分岐継手の構成を説明する斜視図である。
【図２】通信システムの全体構成を説明する説明図である。
【図３】本発明の最良の実施の形態の通信管分岐継手を通信管に取り付けた状態を説明する断面図である。
【図４】本発明の最良の実施の形態の通信管分岐継手の平面図である。
【図５】本発明の最良の実施の形態の通信管分岐継手の底面図である。
【図６】本発明の最良の実施の形態の通信管分岐継手の正面図である。
【図７】本発明の最良の実施の形態の通信管の上面図である。
【図８】実施例の通信管分岐継手の構成を説明する説明図である。（ａ）は正面図であり、（ｂ）は（ａ）のＡ部を拡大して説明する拡大図である。
【符号の説明】
【００８５】
１，１Ａ    通信管分岐継手
２          サドル部
２１        ノッチ溝
３，４      分岐部
３１，４１  膨出部
５          通信管
５３，５４  開口部
６１        ケーブル
６２        分岐ケーブル
【図１】
2010065746.tif 000003
【図２】
2010065746.tif 000004
【図３】
2010065746.tif 000005
【図４】
2010065746.tif 000006
【図５】
2010065746.tif 000007
【図６】
2010065746.tif 000008
【図７】
2010065746.tif 000009
【図８】
2010065746.tif 000010